(57)【要約】【課題】  本発明は、操作性の煩雑さを解決し、医師や医療機関等にとって診療録を作成するためのデータ入力の負担を軽減する診療録作成支援システムの提供を目的とする。【解決手段】  本発明は、医療機関端末が、利用者の入力操作に応じて、生体を構成する部位に関する情報を受け付ける部位情報受付手段と、症状の特定に関する情報を送信する症状特定情報送信手段と、症状候補を受信する症状候補受信手段と、利用者の入力操作に応じて、受信した症状候補から症状の選択を受け付ける症状選択受付手段と、利用者の入力操作に応じて、主訴に係る経過情報を受け付ける経過情報受付手段とを備え、サーバ装置が、症状特定情報を受信する症状特定情報受信手段と、受信した部位に対応する症状を症状候補として抽出する症状候補抽出手段と、抽出された症状候補を送信する症状候補送信手段とを備える診療録作成支援システムに関する。【選択図】    図１
2018139156.tif 000002
【特許請求の範囲】
【請求項１】
利用者が診療録を入力可能な医療機関端末、及び、該医療機関端末と通信による接続が可能なサーバ装置を備える診療録作成支援システムであって、
医療機関端末が、
利用者の入力操作に応じて、生体を構成する部位に関する部位情報を受け付ける部位情報受付手段と、
受け付けた部位情報をサーバ装置へ送信する部位情報送信手段と、
サーバ装置から送信された症状候補を受信する症状候補受信手段と、
利用者の入力操作に応じて、受信した症状候補から症状の選択を受け付ける症状選択受付手段と
を備え、
サーバ装置が、
生体を構成する部位と、該部位にて発症し得る症状とを関連付けて記憶する症状候補記憶手段と、
医療機関端末から送信された部位情報を受信する部位情報受信手段と、
症状候補記憶手段に記憶された症状から、受信した部位情報に含まれる部位に対応する症状を、症状候補として抽出する症状候補抽出手段と、
抽出された症状候補を、医療機関端末へ送信する症状候補送信手段と
を備え、
医療機関端末又はサーバ装置が、前記部位とは異なる部位についての他の主訴情報を記憶する主訴情報記憶手段を備え、
サーバ装置が、さらに、
部位毎に、症状と、症状から特定され得る疾患候補とを関連付けて記憶する疾患候補記憶手段と、
疾患候補記憶手段に記憶された疾患から、主訴情報記憶手段に記憶された他の主訴情報に含まれる症状に対応する疾患を、疾患候補として抽出する疾患候補抽出手段と
を備え、
症状候補抽出手段が、部位情報受信手段により受信した部位情報に含まれる部位に対応する症状であって、疾患候補記憶手段において、疾患候補抽出手段により抽出された疾患候補に対応する症状を抽出する、診療録作成支援システム。
【請求項２】
利用者が診療録を入力可能な医療機関端末に対して通信による接続が可能なサーバ装置であって、
生体を構成する部位と、該部位にて発症し得る症状とを関連付けて記憶する症状候補記憶手段と、
医療機関端末から送信された、生体を構成する部位に関する部位情報を受信する部位情報受信手段と、
症状候補記憶手段に記憶された症状から、受信した部位情報に含まれる部位に対応する症状を、症状候補として抽出する症状候補抽出手段と、
抽出された症状候補を、医療機関端末へ送信する症状候補送信手段と、
前記部位とは異なる部位についての他の主訴情報を記憶する主訴情報記憶手段と、
部位毎に、症状と、症状から特定され得る疾患候補とを関連付けて記憶する疾患候補記憶手段と、
疾患候補記憶手段に記憶された疾患から、主訴情報記憶手段に記憶された他の主訴情報に含まれる症状に対応する疾患を、疾患候補として抽出する疾患候補抽出手段と
を備え、
症状候補抽出手段が、部位情報受信手段により受信した部位情報に含まれる部位に対応する症状であって、疾患候補記憶手段において、疾患候補抽出手段により抽出された疾患候補に対応する症状を抽出する、サーバ装置。
【請求項３】
利用者が診療録を入力可能な医療機関端末、及び、該医療機関端末と通信による接続が可能なサーバ装置において実行される診療録作成支援方法であって、
医療機関端末において、
利用者の入力部への入力操作に応じて、生体を構成する部位に関する部位情報を受け付けるステップと、
通信インタフェース部を介して、受け付けた部位情報をサーバ装置へ送信するステップと、
通信インタフェース部を介して、サーバ装置から送信された症状候補を受信するステップと、
利用者の入力部への入力操作に応じて、受信した症状候補から症状の選択を受け付けるステップと
を有し、
サーバ装置において、
通信インタフェース部を介して、医療機関端末から送信された部位情報を受信するステップと、
制御部において、記憶装置において生体を構成する部位と、該部位にて発症し得る症状とを関連付けて記憶された症状から、受信した部位情報に含まれる部位に対応する症状を、症状候補として抽出するステップと、
通信インタフェース部を介して、抽出された症状候補を医療機関端末へ送信するステップと、
部位毎に、症状と、症状から特定され得る疾患候補とを関連付けて記憶する記憶手段に記憶された疾患から、記憶手段に記憶された、前記部位とは異なる部位についての他の主訴情報に含まれる症状に対応する疾患を、疾患候補として抽出するステップと
を有し、
症状候補を抽出するステップが、部位情報を受信するステップにおいて受信した部位情報に含まれる部位に対応する症状であって、疾患候補を抽出するステップにおいて抽出された疾患候補に対応する症状を抽出する、診療録作成支援方法。
【請求項４】
利用者が診療録を入力可能な医療機関装置であって、
生体を構成する部位と、該部位にて発症し得る症状とを関連付けて記憶する症状候補記憶手段と、
利用者の入力操作に応じて、生体を構成する部位に関する部位情報を受け付ける部位情報受付手段と、
症状候補記憶手段に記憶された症状から、受け付けた部位情報に含まれる部位に対応する症状を、症状候補として抽出する症状候補抽出手段と、
利用者の入力操作に応じて、症状候補抽出手段により抽出した症状候補から症状の選択を受け付ける症状選択受付手段と、
前記部位とは異なる部位についての他の主訴情報を記憶する主訴情報記憶手段と、
部位毎に、症状と、症状から特定され得る疾患候補とを関連付けて記憶する疾患候補記憶手段と、
疾患候補記憶手段に記憶された疾患から、主訴情報記憶手段に記憶された他の主訴情報に含まれる症状に対応する疾患を、疾患候補として抽出する疾患候補抽出手段と
を備え、
症状候補抽出手段が、部位情報受信手段により受信した部位情報に含まれる部位に対応する症状であって、疾患候補記憶手段において、疾患候補抽出手段により抽出された疾患候補に対応する症状を抽出する、医療機関装置。
【請求項５】
利用者が診療録を入力可能な医療機関装置において実行される診療録作成支援プログラムであって、
医療機関装置を、
生体を構成する部位と、該部位にて発症し得る症状とを関連付けて記憶する症状候補記憶手段と、
利用者の入力操作に応じて、生体を構成する部位に関する部位情報を受け付ける部位情報受付手段と、
症状候補記憶手段に記憶された症状から、受け付けた部位情報に含まれる部位に対応する症状を、症状候補として抽出する症状候補抽出手段と、
利用者の入力操作に応じて、症状候補抽出手段により抽出した症状候補から症状の選択を受け付ける症状選択受付手段と、
前記部位とは異なる部位についての他の主訴情報を記憶する主訴情報記憶手段と、
部位毎に、症状と、症状から特定され得る疾患候補とを関連付けて記憶する疾患候補記憶手段と、
疾患候補記憶手段に記憶された疾患から、主訴情報記憶手段に記憶された他の主訴情報に含まれる症状に対応する疾患を、疾患候補として抽出する疾患候補抽出手段
として機能させ、
症状候補抽出手段が、部位情報受信手段により受信した部位情報に含まれる部位に対応する症状であって、疾患候補記憶手段において、疾患候補抽出手段により抽出された疾患候補に対応する症状を抽出する、診療録作成支援プログラム。
【発明の詳細な説明】
【技術分野】
【０００１】
本発明は、医療従事者が診療において、図面に情報を入力することで簡便に診療録を作成可能にするためのインタフェースを有する診療録作成支援システムに関する。
【背景技術】
【０００２】
昨今、医療機関において、紙のカルテの保管スペースを省く、あるいは医療業務を効率的に行うなどの目的で、電子カルテの導入が進められている。しかし、パソコン等の操作に慣れていない医師等が電子カルテの入力を行うような場合、入力に時間がかかってしまうなどの問題から、医師等の負担となることがあった。診療時において、医療従事者が紙のカルテに記載する内容は必要最小限で非常に簡潔な内容であることが多いが、電子カルテでは必須の入力項目が多い等、操作が煩雑で時間がかかるために、電子カルテ入力担当者を別途用意している病院等もある。このような問題を解消するため、電子カルテへの入力を簡素化することを目的として、例えば、利用者が所望する処置や処方等の入力項目をシート入力画面に設定する電子カルテが開示されている（例えば、特許文献１参照）。
【０００３】
ところで、電子カルテは、紙への記載を電子データへの入力に置き換えるという側面だけでなく、医師等による診療を支援するという側面を有するものも提案されている。例えば、医師等の経験などに左右されることなく、患者の病状に適した処置を行うことを目的として、患者の病状情報と、病状情報に対応する疾患に関する疾患情報とを対応付けたデータベースを用意しておき、患者の病状情報が入力されたときに、この病状情報に対応する疾患情報を特定する診断支援装置が開示されている（例えば、特許文献２参照）。
【０００４】
さらに、主訴の入力においてシェーマ図を利用する電子カルテシステムも存在する。しかし、画面を切り替えて使用したり、患者の主訴に合致するシェーマ図を選択したりする等、利用者が電子カルテデータを作成するためにしなければならない作業が多数存在し、利用者の負担となっていた。そこで、利用者の入力の負担を減らすために、身体の各部位の名称とシェーマ図とを対応付ける管理ファイルを有し、患者の主訴に係る語句を入力すると、管理ファイルを参照して、語句に関連するシェーマ図の候補を表示する診療支援装置が開示されている（例えば、特許文献３参照）。
【先行技術文献】
【特許文献】
【０００５】
【特許文献１】特開２００９−９６０９号公報
【特許文献２】特開２００９−５９３８１号公報
【特許文献３】特開平１１−３１２２０２号公報
【発明の概要】
【発明が解決しようとする課題】
【０００６】
ところで、医師等が診療時に電子カルテに主訴を入力する場合、患部と、その患部における症状（例えば、発疹、しびれなど）や症状が現われてからの経過などの入力を行う必要がある。しかし、これらの特許文献に記載された方法では、これら主訴に関する情報をキーボードで入力する、あるいは、多数の選択肢から選択する必要があるなど、電子カルテへの主訴の入力を簡便、且つ、効率的に行えるものではなかった。本発明は、このような課題を解決するためになされたもので、主に操作性の煩雑さを解決し、医師や医療機関等にとって診療録を作成するためのデータ入力の負担を軽減する診療録作成支援システムを提供することを目的とする。
【課題を解決するための手段】
【０００７】
本発明は、利用者が診療録を入力可能な医療機関端末、及び、該医療機関端末と通信による接続が可能なサーバ装置を備える診療録作成支援システムであって、医療機関端末が、利用者の入力操作に応じて、生体を構成する部位に関する情報を受け付ける部位情報受付手段と、部位情報受付手段により受け付けられた部位に関する情報を、症状特定情報としてサーバ装置へ送信する症状特定情報送信手段と、サーバ装置から送信された症状候補を受信する症状候補受信手段と、利用者の入力操作に応じて、症状候補受信手段により受信した症状候補から症状の選択を受け付ける症状選択受付手段と、利用者の入力操作に応じて、症状の経過に関する経過情報を受け付ける経過情報受付手段と、症状選択受付手段により選択された症状、及び経過情報受付手段により受け付けられた経過情報を、主訴情報として表示装置に表示する主訴情報表示手段とを備え、サーバ装置が、生体を構成する部位と、前記部位にて発症し得る症状とを関連付けて記憶する症状候補記憶手段と、医療機関端末から送信された症状特定情報を受信する症状特定情報受信手段と、症状候補記憶手段に記憶された症状から、部位情報受信手段により受信した部位情報に含まれる部位に対応する症状を、症状候補として抽出する症状候補抽出手段と、症状候補抽出手段によって抽出された症状候補を、医療機関端末へ送信する症状候補送信手段とを備え、医療機関端末又はサーバ装置が、主訴情報を記憶する主訴情報記憶手段を備える、診療録作成支援システムに関する。
【０００８】
本発明の診療録作成支援システムは、例えば、医師、歯科医師等の医療従事者あるいは獣医師等が、患者又は動物を診療する際に、簡便な入力操作を行うことで、診療録の作成ができるものである。さらに、部位に応じた症状の候補を抽出するように設計することで、患部で発症し得る症状の候補を選択肢として提供することが可能である。その結果、選択が可能な症状が絞り込まれるため、医療従事者等が症状を入力するための負担を軽減することができる。
【０００９】
本発明は、主訴情報記憶手段が、前記部位とは異なる部位についての他の主訴情報を記憶しており、症状特定情報が、主訴情報記憶手段に記憶された、他の主訴情報を含み、サーバ装置が、症状と、症状から特定され得る疾患候補とを関連付けて記憶する疾患候補記憶手段と、疾患候補記憶手段に記憶された疾患から、主訴情報記憶手段に記憶された他の主訴情報に含まれる症状に対応する疾患を、疾患候補として抽出する第一の疾患候補抽出手段とを備え、症状候補抽出手段が、症状特定情報受信手段により受信した症状特定情報に含まれる部位に対応する症状であって、疾患候補記憶手段において、第一の疾患候補抽出手段により抽出された疾患候補に対応する症状を抽出することが好ましい。
【００１０】
本発明の診療録作成支援システムは、さらに、すでに入力された他の部位に関する主訴情報に応じて、新たに入力をしている部位について入力が可能な症状の選択肢を限定するものである。例えば、他の部位について、症状や経過などの主訴に関する情報がすでに入力されている場合、この主訴情報に含まれる部位及び症状から、患者が罹患している可能性のある疾患の候補が抽出され、新たに入力が行われている部位において発症し得る症状群が抽出される。このように設計することで、患者が罹患している可能性の高い疾患に関する症状群を選択肢として医療従事者等に提供できるため、症状の入力がより簡便になり、患者に対して効率的かつ的確な診療を提供できる。
【００１１】
本発明では、医療機関端末が、生体の外観又は内部に関する図面を表示装置に表示する図面表示手段とを備え、部位情報受付手段が、利用者の入力操作に応じて、図面表示手段に表示された図面中の部位の選択を受け付けることが好ましい。
【００１２】
本発明の診療録作成支援システムは、医療従事者等が図面（例えば、シェーマ図）に対して入力操作を行うことにより、患者の主訴に係る部位を特定することができる。このように設計することで、医療従事者等は、煩わしい文字入力等をせず、マウス等によるクリック等の簡便な操作により入力可能となり、システムの利便性を向上させることができる。
【００１３】
本発明では、部位情報受付手段が、利用者の入力操作に応じて、図面表示手段に表示された図面中の患者の患部に対応する点を特定し、特定された点に応じて、部位の選択を受け付けるものであり、主訴情報表示記憶手段が、前記特定された点と関連付けて、主訴情報を表示することが好ましい。
【００１４】
本発明の診療録作成支援システムでは、図面中に医療従事者等が特定したポイント又は領域等と、主訴に係る症状、始期、経過に関する情報が表示される。このように設計することで、医療従事者は視覚的に、効率的に主訴に関する情報である患部、症状及び経過情報を把握することができる。画面遷移が不要であるため、効率的に診療を行うことができる。
【００１５】
本発明では、経過情報受付手段により受け付けられる経過情報が、主訴の始期に関する主訴始期情報及び、主訴の症状の変化の経緯に関する主訴経過情報を含むことが好ましい。
【００１６】
医療従事者の診療において、医師法２４条第１項に定められているように、患者を診療した後、遅滞なく「経過を記録すること」が義務付けられている。本発明の診療録作成支援システムでは、診療行為において本来は不要である情報、例えば診療報酬の算定のために必要な情報などの必須入力の情報を省略し、主訴に係る症状、始期及び経過に関する情報を診療に必要な最小限の情報としている。このような設計により、医療従事者等の負担の増加を抑制することができる。
【００１７】
本発明では、医療機関端末が、利用者の入力操作に応じて、図面表示手段により表示された図面上に、点又は線を描画する描画手段とを備えることが好ましい。
【００１８】
本発明の診療録作成支援システムは、マウス等のポインタデバイスや、タッチパネルに対するタッチにより、表示画面に表示された図面等に自由にメモ書きをすることができる。このように設計することで、医療従事者等は紙のカルテへの記載と同じ感覚でメモを書くことができ、医療従事者等が独自に用いる略称等を使用できる。その結果、医療従事者等は、自身が内容を把握しやすい形式で診療録のデータを作成することが可能となり、診療における情報入力及び情報把握を効率的に行うことができる。
【００１９】
本発明は、医療機関端末が、症状選択受付手段により選択された症状を含む主訴情報をサーバ装置に送信する主訴情報送信手段と、サーバ装置から送信された疾患候補を受信する疾患候補受信手段と、疾患候補受信手段により受信した疾患候補を医療機関端末に表示する疾患候補表示手段と、利用者の入力操作に応じて、疾患候補表示手段により表示された疾患候補から、診断の結果としての疾患の選択を受け付ける疾患受付手段とを備え、サーバ装置が、症状と、症状から特定され得る疾患候補とを関連付けて記憶する疾患候補記憶手段と、医療機関端末から送信された主訴情報を受信する主訴情報受信手段と、疾患候補記憶手段に記憶された疾患から、主訴情報受信手段により受信した主訴情報に含まれる症状に対応する疾患を、疾患候補として抽出する第二の疾患候補抽出手段と、第二の疾患候補抽出手段によって抽出された疾患候補を、医療機関端末へ送信する疾患候補送信手段とを備えることが好ましい。
【００２０】
本発明の診療録作成支援システムは、主訴に係る患部と、患部における症状の情報をもとに、関連する疾患を抽出することができる。このように設計することで、医師等が専門書等を参照しなくても、患者が罹患している可能性のある疾患の候補を絞り込むことができ、医療従事者等が検討する疾患の数を減らし、効率的に診療を行えるようにするだけでなく、誤った診断をすることを防止することができる。
【００２１】
また、サーバ装置の記憶装置に記憶された疾患候補に関する情報を常に最新化しておくことで、医療現場の医療従事者等は、最新の医療情報を用いた診療を行うことが可能となる。その結果、医療従事者等が知識として有していなかった疾患についても検討できるようになり、診療の効率化だけでなく誤診の予防等、診療行為の質と安全性を高める効果を有する。
【００２２】
本発明は、利用者が診療録を入力可能な医療機関端末に対して通信による接続が可能なサーバ装置であって、生体を構成する部位と、前記部位にて発症し得る症状とを関連付けて記憶する症状候補記憶手段と、医療機関端末から送信された症状特定情報を受信する症状特定情報受信手段と、症状候補記憶手段に記憶された症状から、症状特定情報受信手段により受信した症状特定情報に含まれる部位に対応する症状を、症状候補として抽出する症状候補抽出手段と、症状候補抽出手段によって抽出された症状候補を、医療機関端末へ送信する症状候補送信手段とを備えるサーバ装置に関する。
【００２３】
本発明は、サーバ装置と通信による接続が可能な、利用者が診療録を入力可能な医療機関端末であって、利用者の入力操作に応じて、生体を構成する部位に関する情報を受け付ける部位情報受付手段と、部位選択受付手段により受け付けられた部位に関する情報を、症状特定情報としてサーバ装置へ送信する症状特定情報送信手段と、サーバ装置から送信された症状候補を受信する症状候補受信手段と、利用者の入力操作に応じて、症状候補受信手段により受信した症状候補から症状の選択を受け付ける症状選択受付手段と、利用者の入力操作に応じて、主訴に係る経過情報を受け付ける経過情報受付手段と、症状選択受付手段により選択された症状、及び経過情報受付手段により受け付けられた経過情報を、主訴情報として表示装置に表示する主訴情報表示手段とを備える医療機関端末に関する。
【００２４】
本発明は、利用者が診療録を入力可能な医療機関端末、及び、該医療機関端末と通信による接続が可能なサーバ装置において実行される診療録作成支援方法であって、医療機関端末において、利用者の入力部への入力操作に応じて、生体を構成する部位に関する情報を受け付けるステップと、通信インタフェース部を介して、受け付けられた部位に関する情報を、症状特定情報としてサーバ装置へ送信するステップと、通信インタフェース部を介して、サーバ装置から送信された症状候補を受信するステップと、利用者の入力部への入力操作に応じて、受信した症状候補から症状の選択を受け付けるステップと、利用者の入力部への入力操作に応じて、主訴に係る経過情報を受け付けるステップと、表示装置において、症状の選択を受け付けるステップにおいて選択された症状、及び経過情報を受け付けるステップにおいて受け付けられた経過情報を、主訴情報として表示するステップと、サーバ装置において、通信インタフェース部を介して、医療機関端末から送信された症状特定情報を受信するステップと、制御部において、記憶装置において生体を構成する部位と、前記部位にて発症し得る症状とを関連付けて記憶された症状から、医療機関端末から受信した症状特定情報に含まれる部位に対応する症状を、症状候補として抽出するステップと、通信インタフェース部を介して、抽出された症状候補を医療機関端末へ送信するステップとを有することを特徴とする診療録作成支援方法に関する。
【００２５】
本発明は、利用者が診療録を入力可能な医療機関装置であって、生体を構成する部位と、前記部位にて発症し得る症状とを関連付けて記憶する症状候補記憶手段と、利用者の入力操作に応じて、生体を構成する部位の情報を受け付ける部位情報受付手段と、症状候補記憶手段に記憶された症状から、部位選択受付手段により受け付けた部位に対応する症状を、症状候補として抽出する症状候補抽出手段と、利用者の入力操作に応じて、症状候補抽出手段により抽出した症状候補から症状の選択を受け付ける症状選択受付手段と、利用者の入力操作に応じて、主訴に係る経過情報を受け付ける経過情報受付手段と、症状選択受付手段により選択された症状、及び経過情報受付手段により受け付けられた経過情報を、主訴情報として表示装置に表示する主訴情報表示手段と、主訴情報を記憶手段に記憶する主訴情報記憶手段とを備える医療機関装置に関する。
【００２６】
本発明は、利用者が診療録を入力可能な医療機関装置において実行される診療録作成支援プログラムであって、医療機関装置を、生体を構成する部位と、前記部位にて発症し得る症状とを関連付けて記憶する症状候補記憶手段と、利用者の入力操作に応じて、生体を構成する部位に関する情報を受け付ける部位選択受付手段と、症状候補記憶手段に記憶された症状から、部位選択受付手段により受け付けた部位に対応する症状を、症状候補として抽出する症状候補抽出手段と、利用者の入力操作に応じて、症状候補抽出手段により抽出した症状候補から症状の選択を受け付ける症状選択受付手段と、利用者の入力操作に応じて、主訴に係る経過情報を受け付ける経過情報受付手段と、症状選択受付手段により選択された症状、及び経過情報受付手段により受け付けられた経過情報を、主訴情報として表示装置に表示する主訴情報表示手段と、主訴情報を記憶装置に記憶する主訴情報記憶手段として機能させることを特徴とする診療録作成支援プログラムに関する。
【図面の簡単な説明】
【００２７】
【図１】本発明の実施の形態にかかる診療録作成支援システムの構成を示すブロック図の一例である。
【図２】本発明の実施の形態にかかる医療機関端末の機能を説明するためのブロック図の一例である。
【図３】本発明の実施の形態にかかるサーバ装置の機能を説明するためのブロック図の一例である。
【図４】本発明の実施の形態にかかる患者情報データベースの一例を示す図である。
【図５】本発明の実施の形態にかかる電子カルテデータベースの一例を示す図である。
【図６】本発明の実施の形態にかかるシェーマ図のテンプレート選択画面の一例を示す図である。
【図７】本発明の実施の形態にかかる主訴を登録する際の医療機関端末のインタフェースを表す図である。
【図８】本発明の実施の形態にかかる主訴情報登録処理のフローチャートの一例を示す図である。
【図９】本発明の実施の形態にかかる症状・疾患候補データベース及び必須症状データベースの一例を示す図である。
【図１０】本発明の実施の形態にかかるシェーマ図における主訴に係る症状の選択結果の一例を示す図である。
【図１１】本発明の実施の形態にかかるシェーマ図における主訴経過情報の選択又は入力画面の一例を示す図である。
【図１２】本発明の実施の形態にかかる主訴情報データベースの一例を示す図である。
【図１３】本発明の実施の形態にかかる疾患候補一覧抽出処理の一例を示す図である。
【図１４】本発明の実施の形態における複数の主訴を登録した画面の一例を示す図である。
【図１５】本発明の実施の形態にかかる医療機関装置における主訴情報登録処理の一例を示す図である。
【図１６】本発明の実施の形態にかかる症状候補一覧を、既存主訴情報を考慮して抽出する場合の主訴情報登録処理のフローチャートの一例を示す図である。
【図１７】本発明の実施の形態にかかる症状候補一覧を、既存主訴情報を考慮して抽出する場合の症状候補一覧処理のフローチャートの一例を示す図である。
【発明を実施するための形態】
【００２８】
以下に、本発明の実施の形態について説明をするが、本発明の趣旨に反しない限り、本発明は、実施の形態に記載された態様に限定されるものではない。図１は、本発明の実施の形態にかかる診療録作成支援システムの構成を示すブロック図の一例である。図示するように、診療録作成支援システムは、サーバ装置１、通信ネットワーク２及び複数の医療機関端末３から構成される。医療機関端末３は、本発明の診療録作成支援システムを導入した医療機関毎に少なくとも１台ずつ設けられることが好ましい。
【００２９】
サーバ装置１は、制御部１１、ＲＡＭ（Ｒａｎｄｏｍ  Ａｃｃｅｓｓ  Ｍｅｍｏｒｙ）１２、ハードディスク・ドライブ（ＨＤＤ）１３、及び、通信インタフェース１４からなり、それぞれ内部バスにより接続されている。通信インタフェース１４は、通信ネットワーク２を介して後述する医療機関端末３と接続されている。
【００３０】
制御部１１は、ＣＰＵ（Ｃｅｎｔｒａｌ  Ｐｒｏｃｅｓｓｉｎｇ  Ｕｎｉｔ）やＲＯＭ（Ｒｅａｄ  Ｏｎｌｙ  Ｍｅｍｏｒｙ）から構成される。制御部１１は、ＨＤＤ１３に格納されたプログラムを実行し、サーバ装置１の制御を行う。ＲＡＭ１２は、制御部１１のワークエリアである。ＨＤＤ１３は、プログラムやデータを保存するための記憶領域である。診療録作成支援システムの実行に必要なプログラムやデータは、ＨＤＤ１３などから読み出され、ＲＡＭ１２にロードされる。
【００３１】
制御部１１は、診療録作成支援システムにおける各種処理の実行に必要なプログラム及びデータをＲＡＭ１２から読み出して処理を行なう。制御部１１は、ＲＡＭ１２にロードされたプログラム及びデータを処理することで、医療機関端末３に送信するデータを生成し、通信インタフェース１４から通信ネットワーク２を介してデータを送信する。また、必要に応じて、医療機関端末３から通信インタフェース１４が受信したデータや制御部１１が処理したデータは、記憶装置に記憶される。
【００３２】
通信インタフェース１４は、通信ネットワーク２を介して医療機関端末３の通信インタフェース３６と接続することにより、情報の送受信を行う。
【００３３】
通信ネットワーク２は、サーバ装置１と医療機関端末３とを接続できるものであれば、インターネット、専用回線等どのようなものであっても良いが、送受信される情報の機密保持の観点から、ＶＰＮ接続等の第三者への情報漏洩を防ぐことのできる通信方法を用いた通信ネットワークであることが好ましい。
【００３４】
医療機関端末３は、制御部３１、ＲＡＭ（Ｒａｎｄｏｍ  Ａｃｃｅｓｓ  Ｍｅｍｏｒｙ）３２、ハードディスク・ドライブ（ＨＤＤ）３３、入力装置３４、表示装置３５、通信インタフェース３６からなり、それぞれ内部バスにより接続されている。表示装置３５には、表示画面３５ａが設けられている。
【００３５】
制御部３１は、ＣＰＵ（Ｃｅｎｔｒａｌ  Ｐｒｏｃｅｓｓｉｎｇ  Ｕｎｉｔ）やＲＯＭ（Ｒｅａｄ  Ｏｎｌｙ  Ｍｅｍｏｒｙ）から構成される。制御部３１は、ＨＤＤ３３に格納されたプログラムを実行し、医療機関端末３の制御を行う。ＲＡＭ３２は、制御部３１のワークエリアである。ＨＤＤ３３は、プログラムやデータを保存するための記憶領域である。医療機関端末３における各種処理の実行に必要なプログラムやデータは、ＨＤＤ３３、通信ネットワーク２を介してサーバ装置１からデータを受信した通信インタフェース３６、入力装置３４などから読み出され、ＲＡＭ３２にロードされる。
【００３６】
制御部３１は、医療機関端末３における各種処理の実行に必要なプログラム及びデータをＲＡＭ３２から読み出して処理を行なう。制御部３１は、ＲＡＭ３２にロードされたプログラム及びデータを処理することで、サーバ装置１に送信するデータを生成し、通信インタフェース３６から通信ネットワーク２を介してデータを送信する。
【００３７】
入力装置３４には、マウスやキーボード、タッチパネル等といった入力デバイスが具備されており、利用者である医療従事者等からの操作入力や情報入力が受け付けられる。
【００３８】
表示装置３５は、利用者が閲覧する情報を表示するための表示画面３５ａを具備する。医療機関端末３の表示画面３５ａは、複数設けられていても良い。制御部３１が処理したデータは、必要に応じて、表示装置３５の表示画面３５ａに表示される。
【００３９】
通信インタフェース３６は、通信ネットワーク２を介してサーバ装置１の通信インタフェース１４と接続することにより、情報の送受信を行う。
【００４０】
図２は、本発明の実施の形態における医療機関端末の機能を説明するためのブロック図の一例である。本発明における医療機関端末３は、部位情報受付機能４１、症状特定情報送信機能４２、症状候補受信機能４３、症状選択受付機能４４、経過情報受付機能４５、主訴情報表示機能４６、図面表示機能４７、描画機能４８、主訴情報送信機能４９、疾患候補受信機能５０、疾患候補表示機能５１及び疾患受付機能５２を備える。制御部３１により、これらの機能の実行が制御される。
【００４１】
図３は、本発明の実施の形態におけるサーバ装置の機能を説明するためのブロック図の一例である。本発明におけるサーバ装置１は、症状特定情報受信機能６１、症状候補抽出機能６２、症状候補送信機能６３、第一疾患候補抽出機能６４、主訴情報受信機能６５、第二疾患候補抽出機能６６及び疾患候補送信機能６７を備える。制御部１１により、これらの機能の実行が制御される。
【００４２】
医療機関端末３の症状特定情報送信機能４２は、サーバ装置１へ主訴に係る症状を特定する情報を送信する機能を有する。主訴情報送信機能４９は、サーバ装置１へ主訴に関する情報を送信する機能を有する。症状候補受信機能４３は、サーバ装置１から症状候補一覧を受信する機能を有する。疾患候補受信機能５０は、サーバ装置１から疾患候補一覧を受信する機能を有する。ここに記載された情報に関しては後述する。
【００４３】
サーバ装置１の症状特定情報受信機能６１は、医療機関端末３から主訴に関する症状を特定する情報を受信する機能を有する。主訴情報受信機能６５は、医療機関端末３から主訴に関する情報を受信する機能を有する。症状候補送信機能６３は、医療機関端末３へ症状候補一覧を送信する機能を有する。疾患候補送信機能６７は、医療機関端末３へ疾患候補一覧を送信する機能を有する。ここに記載された情報に関しては後述する。
【００４４】
医療機関端末３にて診療録作成支援システムが起動すると、医療機関端末３がサーバ装置１にアクセスする。この際、端末又は医療機関を識別するため、アカウントとパスワードを使用してログインするようにしても良い。
【００４５】
続いて、本発明の実施の前提について説明する。図４は、本発明の実施の形態にかかる患者情報データベースの一例を示す図である。サーバ装置１に備えられた患者情報データベース７０には、患者ＩＤ７１に関連付けて、氏名７２、性別７３、生年月日７４、住所７５及び保険証番号７６などが記憶されている。本発明のシステムを利用する際に、患者情報を登録しておく必要がある。電子カルテに係る情報は、患者一人に対して一つのカルテ情報が関連付くためである。
【００４６】
図５は、本発明の実施の形態にかかる電子カルテデータベースの一例を示す図である。電子カルテＮＯ８１には、患者ＩＤ８２、来院日時８３、シェーマ図ＮＯ８４、テンプレート８５、主訴ＮＯ８６などが記憶されている。電子カルテＮＯ８１は基本的に患者ＩＤ８２に対応するものである。来院日時８３は、医療従事者等が患者に対して診療を行った日であって、電子カルテデータを登録した際のシステム日付が登録される。
【００４７】
シェーマ図ＮＯ８４は、診療行為において登録したシェーマ図を示す番号であり、１回の診療において複数の主訴があり、それぞれが関連しない病状であった場合等には、同じ来院日時ではあるが複数のシェーマ図が登録される場合があり得る。例えば、ある総合病院に来院した患者が、ドライアイにより眼科にて受診した後、腰痛の改善のために整形外科にて受診するような場合である。このような場合は、来院日時は最初に受付をした際の時間が登録されるようにしても良い。
【００４８】
テンプレート８５は、シェーマ図のテンプレートの種類を表す。テンプレートについては後述する。主訴ＮＯ８６は、シェーマ図に含まれる主訴を表し、後述する主訴情報データベースに含まれる主訴ＮＯ１３１と関連付くデータである。
【００４９】
１つのシェーマ図に対して、複数の主訴に係る情報を登録することが可能である。例えば、図５に示す電子カルテＮＯ８１が「Ｄ１４０００１２」の２行のデータについて、同日の来院データであり、シェーマ図ＮＯ８４は同一の「ＳＨ０００３６」であるが、主訴ＮＯ８６は異なる。これは、同一のシェーマ図内に２つの主訴情報が登録されていることを示すものである。
【００５０】
一方、電子カルテＮＯ８１が「Ｄ１４０００１５」の２行のデータについて、同日の来院データであるが、シェーマ図ＮＯ８４が異なっている。これは、異なるシェーマ図が登録されたことを示し、複数の診療科において受診した場合に相当するデータである。
【００５１】
また、図５に示す電子カルテＮＯ８１が「Ｄ１４０００１４」のデータについて、シェーマ図ＮＯ８４にデータが含まれていない。これは、医療従事者等がシェーマ図を使用して主訴情報を登録せず、電子カルテに直接データを入力したような場合のデータである。本発明にかかるシステムは、シェーマ図を必ず使用しなければならないという制約事項を有するものではない。
【００５２】
例示したデータベースは説明のための構造であって、テーブルを正規化することや項目を組み替えることは想定の範囲内の事項である。
【００５３】
次に、シェーマ図のテンプレートについて説明する。図６は、本発明の実施の形態にかかるシェーマ図のテンプレート選択画面の一例を示す図である。本発明において、患者の診察において主訴を登録する場合、最初にシェーマ図のテンプレート表示ウィンドウ８８が表示される。テンプレート表示ウィンドウ８８には、用意されたテンプレート８９ａ〜８９ｄが表示される。
【００５４】
医療従事者等は患者の状態及び登録する主訴の状況に応じて、種々のテンプレートを使用することができる。例えば、患者の主訴が全身、広い範囲の部位に関する場合、テンプレート８９ａ又は８９ｄのように全身の正面図、背面図を含むテンプレートを選択する。一方、患者の主訴が顔面部や頭部の部位に関する場合、テンプレート８９ｂ又は８９ｃのように全身の正面図及び背面図に代えて頭部の図を含むテンプレートを選択する。テンプレートは図示したものに限らず、頭部のみ、手部のみ、あるいは上半身のみ等のテンプレートを用意することができる。また、シェーマ図に代えて、模式図や写真等を使用することも可能である。
【００５５】
テンプレートのデータはサーバ装置のＨＤＤ１３に保持し、医療機関端末がテンプレートを使用する都度、医療機関端末から取得要求を発して取得する、あるいは、医療機関端末にインストールやダウンロード等することで医療機関端末のＨＤＤ３３に格納し、使用する都度ＨＤＤ３３から呼び出すようにしても良い。
【００５６】
図７は、本発明の実施の形態にかかる主訴を登録する際の医療機関端末のインタフェースを表す図である。図示したシェーマ図は、図６に示すテンプレート８９ａを選択した場合のものである。医療従事者等は、医療機関端末３に備えられた入力装置３４を使用して、シェーマ図に情報を入力することができる。
【００５７】
次に、主訴情報の登録について説明する。図８は、本発明の実施の形態にかかる主訴情報登録処理のフローチャートの一例を示す図である。
【００５８】
医療従事者等が医療機関端末の表示画面３５ａに表示されたシェーマ図を、例えばマウスカーソルによりクリックしてポイントを選択する（ステップＳ１）と、医療機関端末３は部位情報受付機能４１により選択されたポイントの座標を抽出し、部位を特定する（ステップＳ２）。
【００５９】
ここで、部位を選択しやすいように、部位ごとに色を変えて表示する、あるいは選択する部位上をマウスオーバーすることにより部位名称をテキストで表示するようにしても良い。また、医療機関端末の入力装置３４を用いてテキストを直接入力するようにしても良い。部位の特定手段は、座標を用いた判定に限らず、レイヤを重ねてクリック等された部位を判定するような手法であっても良い。
【００６０】
ここで、クリック等では特定しづらい部位、例えば「全身」や「神経」等が存在する。このような部位については、画面の特定の範囲外をクリック等すると「全身」を特定したものとして扱う、あるいは「全身」「神経」というボタンを用意して、ボタンが押下された場合に部位を特定したものとみなすようにしても良い。選択可能な部位をリスト表示、あるいはチェックボックス等を設ける補助的な設計をしても良い。
【００６１】
次に、本発明の症状候補を抽出する処理ついて説明する。図９は、本発明の実施の形態にかかる症状・疾患候補データベース及び必須症状データベースの一例を示す図である。図９（ａ）は、サーバ装置１に備えられた症状・疾患候補データベース９０である。症状・疾患候補データベース９０には、部位９１、症状９２及び疾患候補９３などが記憶されるものである。症状・疾患候補データベース９０に含まれるデータは、患者の主訴の部位９１に、症状９２が表れた場合に、疾患候補９３の可能性があることを示している。
【００６２】
また、図９（ｂ）はサーバ装置１に備えられた必須症状データベース９５である。必須症状データベース９５は、必須症状データベース９５には、疾患９６、部位９７、必須症状９８などが記憶されるものである。ある疾患９６は、部位９７において必須症状９８を生じさせることを示すものである。疾患候補を抽出する処理については後述する。
【００６３】
ここで、症状・疾患候補データベース９０のデータについて説明する。例えば、患者の主訴の部位９１が「全身」であって、症状９２が「発熱」の場合、候補に挙がる疾患候補９３は「マイコプラズマ肺炎」、「感染性胃腸炎」あるいは「百日咳」等である。なお、図９（ａ）の例において、候補に挙げるために使用する情報は、部位９１及び症状９２であるが、主訴の始期や初期症状からの経過期間、あるいは症状の変化の経緯の情報を用いて疾患の候補を抽出するようなデータベース構造とすることも可能である。
【００６４】
次に、サーバ装置１における症状候補抽出処理について説明する。ステップＳ２において特定された部位情報を医療機関端末３の部位情報送信機能４２によりサーバ装置１に送信する（ステップＳ３）。その後、サーバ装置１は、症状特定情報受信機能６１により症状特定情報を受信し（ステップＳ４）、部位情報をもとに、症状候補抽出機能６２により症状候補一覧を抽出する（ステップＳ５）。
【００６５】
ここで、ステップＳ５の症状候補一覧抽出処理について、より詳細に説明する。症状・疾患候補データベース９０から、ステップＳ４において受信した部位情報と合致する部位９１に対応する症状９２を抽出する。抽出された症状群を症状候補一覧とする。例えば、図９（ａ）において、受信した部位情報が「咽頭」であれば、抽出される症状は、「乾性咳嗽」及び「咽頭痛」であり、これらを症状候補一覧とするものである。
【００６６】
次に、ステップＳ５で得られた症状候補一覧を、サーバ装置１は症状候補送信機能６３により、医療機関端末３へ送信する（ステップＳ６）。医療機関端末３は症状候補受信機能４３によりサーバ装置１から症状候補一覧を受信し（ステップＳ７）、症状候補一覧を医療機関端末の表示画面３５ａに表示する（ステップＳ８）。
【００６７】
医療従事者等は表示された症状候補一覧から、患者の主訴に係る症状をクリック等により選択する（ステップＳ９）。症状が一覧に見つからない場合等は医療機関端末３の入力装置３４、例えばキーボードを用いて、テキストの入力により症状情報を入力できるようにしても良い。
【００６８】
上述した処理の結果について、具体的にシェーマ図を使用して説明する。図１０は、本発明の実施の形態にかかるシェーマ図における主訴に係る症状の選択結果の一例を示す図である。ステップＳ１において医療従事者等がポイントした場所にはポイントマーク１０１が付き、主訴ウィンドウ１００が表示される。
【００６９】
また、主訴ウィンドウ１００には、ポイントした部位名１０７が表示される。主訴情報入力ウィンドウ１０２には、症状タブ１０３、「いつから」タブ１０４、経過タブ１０５が表示され、症状タブ１０３が選択された状態で表示される。さらに、主訴情報入力ウィンドウ１０２には、ステップＳ８の症状候補一覧表示において表示した症状候補一覧が表示される。
【００７０】
ステップＳ９の主訴症状選択において、例えば、黄疸１０６ａ、発汗異常１０６ｂ及びしびれ１０６ｃを選択した場合、選択と同時に主訴ウィンドウ１００に主訴症状１０８が表示される。ここで、複数主訴症状を選択する際、コントロールボタンやシフトボタン等を押しながら選択することで、複数の症状を選択できるようにしても良い。
【００７１】
次に、主訴始期情報を選択する（ステップＳ１０）。図１１は、本発明の実施の形態にかかるシェーマ図における主訴経過情報の選択又は入力画面の一例を示す図である。図１０に示す主訴情報入力ウィンドウ１０２の「いつから」タブ１０４を選択すると、図１１（ａ）の画面が表示される。主訴始期情報の選択画面には、数値入力ウィンドウ１１１、日付指定ボタン１１２及び始期情報の単位１１３が含まれる。
【００７２】
医療従事者等は、医療機関端末３の入力装置３４を使用して、数値入力ウィンドウ１１１に直接数値を入力し、単位１１３のいずれかを選択することにより、主訴始期情報を入力することが可能である。また、日付指定１１２をクリック等することにより、図１１（ｂ）のようなカレンダー表示画面に表示を切り替えることができる。カレンダー表示画面には、表示する月を変更するボタン１１４と日付１１５を含む。日付１１５をクリック等することにより、数値入力ウィンドウ１１１に日付を入力することができる。図１１（ｃ）はカレンダー表示画面において日付を選択した場合の画面表示の一例であり、日付ウィンドウ１１６に選択された日付が表示される。この場合、単位は自動的に「から」が選択され、単位１１８ａ〜１１８ｄのように選択肢の色を変更させ、選択肢を不活性化させても良い。
【００７３】
次に、主訴経過情報を選択する（ステップＳ１１）。図１１（ｄ）は、主訴経過情報選択画面であり、図１０に示す主訴情報入力ウィンドウ１０２の経過タブ１０５をクリック等することにより表示される。主訴経過情報選択画面には経過情報に係る４種類の選択肢が表示される。図１１（ｄ）においては「急に悪化」１２０が選択されている。経過情報の選択肢は症状ごとに変更するようにしても良い。
【００７４】
主訴経過情報を選択後、医療機関端末３のＲＡＭ３２に主訴情報として一時的に記憶される（ステップＳ１２）。ここで、主訴ウィンドウ１００に選択した主訴情報が表示される。
【００７５】
主訴の入力が完了であれば、ＯＫボタン１０９を押下することにより、主訴情報をサーバ装置１に登録することができる。主訴情報登録処理については後述する。一方、キャンセルボタン１１０を押下すると、これまで入力した主訴情報のうち、サーバ装置に登録していない情報については消失する。ここで、未登録データが消失する旨の確認メッセージを表示させても良い。
【００７６】
次に、図８のステップＳ１３において、主訴情報の選択が完了し、ＯＫボタンを押下した場合について説明する（ステップＳ１３にてＹＥＳ）。医療機関端末３はサーバ装置１に対して、入力されたすべての主訴情報を、主訴情報送信機能４９により送信する（ステップＳ１４）。サーバ装置１は主訴情報受信機能６５により主訴情報を受信し（ステップＳ１５）、受信した主訴情報をＨＤＤ１３に格納された主訴情報データベース１２０に登録する（ステップＳ１６）。
【００７７】
図１２は、本発明の実施の形態にかかる主訴情報データベースの一例を示す図である。主訴情報データベース１２０には、主訴ＮＯ１２１に関連付けて、部位１２２、座標Ｘ１２３、座標Ｙ１２４、更新日時１２５、症状１２６、始期１２７及び経過１２８などが記憶されている。部位１２２はステップＳ２における部位特定で特定した部位名を表し、座標Ｘ１２３と座標Ｙ１２４は特定した座標を表す。更新日時１２５は、主訴情報が登録又は更新された時点のサーバ装置１におけるシステム日時を表し、症状１２６はステップＳ９の主訴症状選択において選択された主訴症状を表す。始期１２７及び経過１２８は、それぞれステップＳ１０の主訴始期情報選択、ステップＳ１１の主訴経過情報選択において選択された値を表す。
【００７８】
主訴情報を登録後、すべての主訴情報から疾患の候補を抽出する（ステップＳ１７）。ここで、抽出される疾患候補は複数該当し得るものである。
【００７９】
次に、疾患候補一覧抽出処理について説明する。図１３は、本発明の実施の形態にかかる疾患候補一覧抽出処理の一例を示す図である。最初に、症状・疾患候補データベース９０から、疾患候補９３の一覧を取得する（ステップＳ３０）。次に、主訴情報の有無を判定する（ステップＳ３１）。もし主訴情報がなければ（ステップＳ３１にてＮＯ）、疾患候補一覧には、症状・疾患候補データベース９０に登録されたすべての疾患候補９３が表示される。あるいは、主訴情報が無い場合には何も抽出せず、別の画面に遷移するようにしても良い。
【００８０】
主訴情報が有る場合（ステップＳ３１にてＹＥＳ）で、複数の主訴情報がある場合は、配列に含まれた先頭のデータから処理をするべく、主訴情報を１つ選択し（ステップＳ３２）、選択した主訴情報とステップＳ３０において取得した疾患候補一覧をもとに、症状・疾患候補データベース９０から、該当する疾患候補を抽出する（ステップＳ３３）。抽出した疾患候補の一覧を、ステップＳ３０で取得した疾患候補一覧と置換により更新する（ステップＳ３４）。
【００８１】
すべての主訴情報に対して疾患候補抽出処理をしたか判定し（ステップＳ３５）、未完了の主訴情報が存在するならば（ステップＳ３５においてＮＯ）、再度未完了の主訴情報を選択して（ステップＳ３２）、当該主訴情報についても疾患候補を抽出する（ステップＳ３３）。ただし、ここで行われる疾患候補抽出処理は、既にステップＳ３４において更新された疾患候補一覧を使用して行われる。
【００８２】
上記処理をすべての主訴に対して行う。つまり、複数の主訴が存在した場合は、すべての主訴に共通する疾患の候補だけが最終的に抽出されることとなる。
【００８３】
抽出された疾患候補一覧を、サーバ装置１の疾患候補送信機能６７により、医療機関端末３へ送信する（ステップＳ１８）。医療機関端末３は、疾患候補受信機能５０によりサーバ装置１から疾患候補一覧を受信し（ステップＳ１９）、受信した疾患候補一覧を表示画面３５ａに表示する（ステップＳ２０）。医療従事者等は表示された疾患候補一覧から、患者の主訴に係る疾患をクリック等により選択し、医療機関端末３は、疾患受付機能５２により疾患情報の選択を受け付ける。
【００８４】
共通する疾患の候補が抽出された後、図示しないが、疾患候補に挙げられた疾患が患者の主訴に係る症状である可能性をより高めるべく、抽出された疾患候補一覧に含まれる疾患と主訴情報との整合性を確保する処理を行う。
【００８５】
例えば、共通する疾患候補一覧に「マイコプラズマ肺炎」及び「百日咳」が含まれている場合で、主訴情報が「咽頭」における「乾性咳嗽」の症状のみであったとする。ここで、必須症状データベース９５を参照し、疾患に関して必ず存在する症状を確認する。
【００８６】
まず、「マイコプラズマ肺炎」について確認すると、必須の症状は「全身」に「発熱」があることである。しかし、上記の通り、主訴情報には「全身」の「発熱」に関する情報は含まれていない。したがって、「マイコプラズマ肺炎」は疾患候補から除外される。
【００８７】
次に、「百日咳」について確認すると、必須の症状は「咽頭」に「乾性咳嗽」があることである。つまり、上記主訴情報と合致するため、「百日咳」は疾患候補に残留する。
【００８８】
つまり、入力された複数の症状に共通する疾患候補を抽出し、抽出された疾患候補について必須症状データベースを参照し、必須症状が症状として入力されている場合は、疾患候補に残留させ、必須症状が症状として入力されていない場合は、疾患候補から除外することで、疾患候補の絞り込みを行うことができる。このように、必須症状データベース９５のデータに含まれる疾患９６、部位９７及び必須症状９８の情報と、疾患候補に含まれる疾患、主訴情報に係る部位及び症状の情報との整合を保ち、より可能性の高い疾患候補一覧を医療従事者に提供することができる。
【００８９】
抽出された疾患候補一覧は、図示していないが、医療機関端末３の表示画面３５ａに表示され、医療従事者等は疾患候補を選択することで電子カルテにレセプト病名として転記できる。もし医療従事者等が考えるレセプト病名が疾患候補に存在しない場合は、直接文字を入力することで対応できるようにしても良い。
【００９０】
このように、本発明にかかる診療録作成支援システムは、患者の主訴に係る情報をもとに、疾患候補になり得る疾患を医療従事者等に提示することができるものである。これにより、医療従事者等の負担を軽減し、疾患の見逃し等の医療ミスの防止に効果的であり、診療支援の役割も有するものである。
【００９１】
ところで、本発明にかかるシステムには、複数の主訴情報を登録する機能及び医療従事者等によるシェーマ図へのメモ入力機能が備えられている。図１４は、本発明の実施の形態における複数の主訴を登録した画面の一例を示す図である。
【００９２】
まず、複数の主訴情報を登録する機能について説明する。複数の主訴情報を追加したい場合は、主訴追加ボタン１３２を押下し、図８に示す主訴情報登録処理を行う。図１４に示すように２つの主訴情報を登録した場合、最初に登録した主訴情報ウィンドウ１３１ａと次に登録した主訴情報ウィンドウ１３１ｂが表示される。このように、１つの図面中に複数の主訴情報を登録しても、主訴情報ウィンドウが重なることなく表示され、医療従事者等は一見して患者の情報を把握することができる。
【００９３】
次に、図面へのメモ入力機能について説明する。これは、ツールボックスアイコン１３４をクリック等すると、鉛筆ツール１３５ａ、消しゴムツール１３５ｂ及び全てクリアボタン１３６が表示される。ここで、鉛筆ツール１３５ａをクリック等して、マウスポインタ等によりシェーマ図にドラッグ等すると、メモ書き１３３を記載することができる。メモ書きが可能な範囲を制限しても良い。
【００９４】
消しゴムツール１３５ｂをクリック等すると、鉛筆ツール１３５ａにて記載した内容をドラッグ等することで記載内容を消去することができる。また、全てクリアボタン１３６をクリック等すると、図面中に鉛筆ツール１３５ａにより記載された内容は全て消去される。
【００９５】
ところで、ＯＫボタンを押下してサーバ装置に登録された後のシェーマ図は、電子カルテから再表示することが可能である。ここで、再表示後のシェーマ図において、情報の更新をすることも可能である。ただし、更新した情報は履歴を追跡可能であるように保持され、訴訟等の場合に備えて、医療従事者等が意識的に管理しなくても診療録として機能することが必要である。
【００９６】
また、画面を切り替えることなく、ある患者のシェーマ図を時系列ごとに、古いシェーマ図が一番下に、最新のシェーマ図が一番上に重なるように、並べる機能を設けても良い。このようにすることで、医療従事者等は患者の時系列における状態を把握しやすくなる。さらに、過去のある時点のシェーマ図と、最新の時点のシェーマ図を画面上に並べて表示するようにしても良い。症状の比較をし易くして、医療従事者等の利便性を向上することが可能となる。
【００９７】
ところで、本発明はシステムとして記載しているが、単独の医療機関装置にサーバ装置１の機能を備えさせることも可能である。図１５は、本発明の実施の形態にかかる医療機関装置における主訴情報登録処理の一例を示す図である。図１５のように、図８における主訴情報登録処理を医療機関装置に実行させることも可能である。この場合、サーバ装置１に備えられた記憶装置等はすべて医療機関装置に備えることとし、図１３に示す疾患候補一覧抽出処理は医療機関装置が実行することとなる。
【００９８】
さらに、本発明の診療録作成システムにおいて、シェーマ図の部位を選択した際に抽出される症状を、シェーマ図において既存の主訴情報を考慮したうえで、該当し得る症状を抽出し、表示することも考えられる。
【００９９】
図１６は、本発明の実施の形態にかかる症状候補一覧を、既存主訴情報を考慮して抽出する場合の主訴情報登録処理のフローチャートの一例を示す図である。ポイント選択（ステップＳ６０）や部位特定（ステップＳ６１）の処理は図８に示す処理と同じである。ここで、既存の主訴情報を抽出する点が異なる（ステップＳ６２）。既存の主訴情報とは、同一のシェーマ図において、登録しようとする主訴情報以外の主訴情報のことであって、情報がサーバ装置に登録されているか否かを問わない。すなわち、ある主訴情報とその他の主訴情報を登録する場合において、その他の主訴情報を登録した後、ある主訴情報を登録する際に、その他の主訴情報を抽出するものである。
【０１００】
ステップＳ６１において特定された部位情報と、ステップＳ６２において抽出された既存の主訴情報とを合わせて症状特定情報とし、サーバ装置１に送信する（ステップＳ６３）。サーバ装置１は、症状特定情報を受信し（ステップＳ６４）、症状特定情報をもとに、症状候補一覧を抽出する（ステップＳ６５）。ステップＳ６６からステップＳ８０の処理は、図８のステップＳ６からステップＳ２０に対応するものである。
【０１０１】
ここで、症状候補一覧抽出処理について説明する。図１７は、本発明の実施の形態にかかる症状候補一覧を、既存主訴情報を考慮して抽出する場合の症状候補一覧処理のフローチャートの一例を示す図である。既存主訴情報の有無を判定し（ステップＳ８１）、既存主訴情報が無い場合（ステップＳ８１にてＮＯ）、ステップＳ２において特定した部位に関する症状を、症状・疾患候補データベース９０から抽出する（ステップＳ８７）。
【０１０２】
既存主訴情報が有る場合（ステップＳ８１にてＹＥＳ）、最初に疾患候補一覧として、症状・疾患候補データベース９０に登録されたすべての疾患候補９３を抽出する（ステップＳ８２）。複数の既存主訴情報がある場合は、配列に含まれた先頭のデータから処理をするべく、既存主訴情報を１つ選択し（ステップＳ８３）、選択した既存主訴情報とステップＳ８２において取得した疾患候補一覧をもとに、症状・疾患候補データベース９０から、該当する疾患候補を抽出する（ステップＳ８４）。抽出した疾患候補の一覧を、ステップＳ８２で取得した疾患候補一覧を置換して更新する（ステップＳ８５）。
【０１０３】
すべての既存主訴情報に対して疾患候補の抽出をしたか判定し（ステップＳ８６）、未完了の既存主訴情報が存在するならば（ステップＳ８６においてＮＯ）、再度未完了の既存主訴情報を選択して（ステップＳ８３）、当該既存主訴情報についても疾患候補を抽出する（ステップＳ８４）。ただし、疾患候補抽出処理は、既にステップＳ８５において更新された疾患候補一覧を使用して行われる。
【０１０４】
上記処理をすべての既存主訴情報に対して繰り返し行う。つまり、複数の主訴が存在した場合は、すべての主訴情報に関連し得る疾患のうち、最終的に共通する疾患のみ抽出されることとなる。
【０１０５】
すべての既存主訴情報に対して疾患候補の抽出処理を行った場合（ステップＳ８６においてＹＥＳ）、抽出された疾患候補一覧から、それぞれの疾患候補９３に関連する症状９２を、症状・疾患候補データベース９０から抽出し（ステップＳ８７）、症状候補一覧とする。
【０１０６】
ここで、症状候補一覧抽出処理において症状候補一覧に主訴情報に共通する疾患の候補が無い場合は、登録した主訴情報に係る症状が見つからない旨のエラーメッセージを表示するようにしても良い。
【０１０７】
上述したように、既に入力されている主訴情報を考慮して症状候補一覧を作成することにより、ステップＳ６９において選択する主訴症状の選択肢の数を減らすことができ、効率的に診療を行えるようにすることができる。
【符号の説明】
【０１０８】
１        サーバ装置
１００    主訴ウィンドウ
１１      制御部
１２      ＲＡＭ
１２０    主訴情報データベース
１３      ＨＤＤ
１４      通信インタフェース
２        通信ネットワーク
３        医療機関端末
３１      制御部
３２      ＲＡＭ
３３      ＨＤＤ
３４      入力装置
３５      表示装置
３６      通信インタフェース
７０      患者情報データベース
８０      電子カルテデータベース
８８      テンプレート表示ウィンドウ
９０      症状・疾患候補データベース
９５      必須症状データベース
【図１】
2018139156.tif 000003
【図２】
2018139156.tif 000004
【図３】
2018139156.tif 000005
【図４】
2018139156.tif 000006
【図５】
2018139156.tif 000007
【図６】
2018139156.tif 000008
【図７】
2018139156.tif 000009
【図８】
2018139156.tif 000010
【図９】
2018139156.tif 000011
【図１０】
2018139156.tif 000012
【図１１】
2018139156.tif 000013
【図１２】
2018139156.tif 000014
【図１３】
2018139156.tif 000015
【図１４】
2018139156.tif 000016
【図１５】
2018139156.tif 000017
【図１６】
2018139156.tif 000018
【図１７】
2018139156.tif 000019